(57)【特許請求の範囲】
【請求項１】
身体に接触可能な大きさであって、注射針の通過孔が対向する表面間に貫通して設けられた平板状の基板と、
この基板の一方の表面側に設けられ、前記基板に対して垂直な前記注射針を有し、この注射針が前記通過孔を介して前記一方の表面側から他方の表面側に移動可能な位置に配置された注射器本体と、
前記注射針が前記通過孔を介して前記他方の表面側に進出した第１の状態と、前記注射針が前記基板に対してほぼ垂直な方向に沿って前記一方の表面側に後退した第２の状態との間を、前記注射器本体が移動可能に、前記一方の表面側に設けられた案内手段と、
前記第２の状態と前記第１の状態との間で、前記案内手段に沿って前記注射器本体を瞬時に移動させる移動手段とを、
具備し、
前記注射器本体は、そのシリンダが前記基板にほぼ平行に配置され、そのシリンダの先端部に前記注射針が前記シリンダに対してほぼ垂直に設けられ、
前記移動手段は、前記注射器本体に設けた磁性体と、前記基板の一方の表面側に設けられ励磁されたとき前記磁性体を吸着して第１の状態とする第１の電磁石と、前記基板の一方の表面側において前記基板から離れた位置に設けられ励磁されたとき前記磁性体を吸着して第２の状態とする第２の電磁石と、第１及び第２の電磁石のうち励磁するものを択一的に選択する選択手段とを、具備し、
前記案内手段、前記磁性体、前記第１及び第２の電磁石並びに前記選択手段は、前記基板の前記一方の表面側に結合されたマウス型の椀状体内に収容され、前記選択手段は、前記椀状体の表面に、指で操作可能に一部が露出している操作部を有する
注射器。
【請求項２】
請求項１記載の注射器において、前記注射器本体は、第２の状態において後退しているピストンを有し、第１の状態に前記注射器本体が移動した後に、前記ピストンを前進させる駆動手段を設けた注射器。
【発明の詳細な説明】
【０００１】
【発明の属する技術分野】
本発明は、注射器に関し、例えば自己注射に適した注射器に関する。
【０００２】
【従来の技術】
一般に、注射は医療行為であるので、医師や看護婦しか行えない。しかし、患者によっては、例えば成長ホルモンやインスリンの注射が必要な患者には、患者自身が注射を行う自己注射が認められている。自己注射用の注射器としては、種々のものが提案されている。いずれの注射器も、先端に注射針を設けたシリンダ内にピストンを設けた型のものである。そして、患者自身が注射針を皮膚に刺し、ピストンを押す。
【０００３】
【発明が解決しようとする課題】
しかし、このような注射器では、注射針を皮膚に突き刺す場合、注射針が真っ直ぐに刺さらず痛みが大きくなる。さらに、皮膚に刺した後も、注射器が細長いので、注射針を刺したままの状態に維持しにくく、皮下で注射針を患者が動揺させやすく、益々痛みが大きくなる。また、注射針を刺す場合、患者がためらうので、瞬間に注射針を刺すことができず、この点からも痛みが大きくなる。
【０００４】
本発明は、自己注射する場合でも、痛みを軽減させることができる注射器を提供することを目的とする。
【０００５】
【課題を解決するための手段】
上記の目的を達成するために、請求項１記載の発明は、平板状の基板を有している。この基板は、身体に接触可能な大きさであって、注射針の通過孔が対向する表面間に貫通するように設けられている。この基板の一方の表面側に注射器本体が設けられている。この注射器本体は、前記基板に対して垂直な注射針を有し、この注射針が前記通過孔を介して一方の表面側から他方の表面側に移動可能な位置に注射器本体が配置されている。前記針が前記通過孔を介して前記基板に対してほぼ垂直な方向に沿って前記他方の表面側に進出した第１の状態と、前記針が前記通過孔を介して前記基板に対してほぼ垂直な方向に沿って前記一方の表面側に後退した第２の状態との間を、前記注射器本体が移動可能に、前記一方の表面側に案内手段が設けられている。第２の状態と第１の状態との間で、案内手段に沿って前記注射器本体を瞬間的に移動させる移動手段が設けられている。
【０００６】
請求項１記載の発明では、注射器本体を第２の状態（注射針が基板の一方の表面側に後退した状態）として、基板の他方の面側を皮膚に接触させる。そして、移動手段によって案内手段に沿って注射器本体を第２の状態から第１の状態に瞬間的に移動させる。これによって、注射針は、通過孔を通って皮膚に突き刺さる。このとき、皮膚は基板の他方の面側に接触しており、この基板に対して注射針はほぼ垂直に移動するので、注射針は真っ直ぐに皮膚に突き刺さる。また、移動手段を作動させることによって、注射器本体が第１の状態から第２の状態に移動するので、注射針は真っ直ぐに皮膚から抜かれる。
【０００７】
さらに、請求項１記載の発明では、注射器本体が、そのシリンダが基板にほぼ平行に配置されている。
【０００８】
さらに、請求項１記載の発明によれば、注射器本体を基板に対して平行に配置しているので、注射器の高さ寸法を小さくすることができる。
【０００９】
さらに、請求項１記載の発明では、前記移動手段が、前記注射器本体に設けた磁性体を含んでいる。基板の一方の面付近に第１の電磁石が設けられている。これは、励磁されたとき、磁性体を吸着して第１の状態とする。また、基板の一方の面側において、基板から離れた位置に第２の電磁石が設けられている。これは、励磁されたとき、磁性体を吸着して、第２の状態とする。第１及び第２の電磁石のうち励磁するものを択一的に選択する選択手段も、設けられている。
【００１０】
請求項１記載の発明によれば、第１の電磁石が選択手段によって選択されて、励磁されると、注射器本体に設けられた磁性体が第１の電磁石によって吸引されて、案内手段に沿って瞬間に移動し、第１の電磁石に吸着され、第１の状態となる。また、第２の電磁石が選択手段によって選択されて、励磁されると、注射器本体の磁性体が第２の電磁石によって吸引され、案内手段に沿って瞬間に移動し、第２の電磁石に吸着され、第２の状態となる。
【００１１】
さらに、前記案内手段、前記磁性体、前記第１及び第２の電磁石並びに前記選択手段は、前記基板の一方の表面側に配置され、前記注射器本体、前記案内手段、前記磁性体、前記第１及び第２の磁石並びに前記選択手段を覆うように前記基板の一方の面にマウス型の椀状体が結合され、選択手段は、前記椀状体の表面に、操作可能に一部が露出している指で操作可能な操作部を有している。
【００１２】
基板を除く構成要素が全て椀状体内に収容されて、選択手段の指で操作可能な操作部が、その椀状体の表面から露出した構成であるので、手に馴染んだ状態で使用できる。
【００１３】
請求項２記載の発明では、請求項１記載の注射器において、第２の状態において後退しているピストンを、注射器本体が有し、第１の状態に前記注射器本体が移動した後に、前記ピストンを前進させる駆動手段が設けられている。
【００１４】
請求項２記載の発明によれば、第１の状態、即ち注射針が皮下に突き刺さった後、ピストンの駆動手段が、ピストンを前進させ、シリンダ内の注射液を注射針から皮下に注射することができる。
【００１５】
【発明の実施の形態】
本発明の１実施の形態の注射器は、図２に示すように平面形状が、楕円状の平板状の基板２を有している。この基板２の周囲を手に馴染みやすい形状である椀状体４が包囲している。即ち、この注射器の外観はマウス状である。この椀状体４は、基板２に着脱自在に取り付けられており、片手で掴むことができる大きさである。
【００１６】
図１（ａ）、（ｂ）に示すように、椀状体４と基板２の一方の表面との間には、注射器本体６が配置されている。注射器本体６は、シリンダ８とその内部に挿通されたピストン１０とを有している。シリンダ８の長さ方向が基板２と平行となるように、シリンダ８が配置されている。シリンダ８の先端部８ａは、基板２とほぼ垂直に基板２側を向くように屈曲されている。この先端部８ａに基板２側を向いて注射針１２が取り付けられている。この注射針１２を基板２側に延長した基板２との交点位置に、注射針１２が基板２の一方の表面側と他方の表面側との間で進退可能に、通過孔１４が形成されている。
【００１７】
ピストン１０は、先端部にヘッド１０ａを有している。ヘッド１０ａは、概略円柱状に形成され、そのうちシリンダ８の先端部８ａ側を向いた部分の最先端から後方に向かって傾斜面とされている。
【００１８】
この注射器本体６の周縁部は、磁性体、例えばスチール製の筒状のホルダー１６によって包囲されている。無論、シリンダ８の先端部８ａ及び注射針１２は、ホルダー１６から外部に突出している。図２に示すように、ホルダー１６の長さ方向に沿った両側面における長さ方向に間隔を隔てた位置から、４つの突起１８が外方に向かってそれぞれ突出している。これら突起１８は、案内手段、例えば案内レール２０にそれぞれ係合している。これら案内レール２０は、その基端が基板２上に位置し、基端から上方に向かって垂直に伸びている。注射器本体６及びホルダー１６は、案内レール２０に沿って昇降可能である。
【００１９】
図１（ｂ）に示すように、注射針１２が通過孔１４から基板２の他方の面側に突出した状態において、ホルダー１６に吸着するように、基板２の一方の面側には第１の電磁石２２が設けられている。また、図１（ａ）に示すように、注射針１２が通過孔１４から基板２の一方の面側に後退させた位置において、ホルダー１６に吸着するように、第２の電磁石２４が、案内レール２０の先端間に設けられている。なお、第２の電磁石２４は、案内レール２０に設ける必要はなく、基板２から延ばした適当な支持台上に取り付けてもよいし、椀状体４に取り付けてもよい。
【００２０】
図１（ａ）に示すように第２の電磁石２４にホルダー１６が吸着されている状態において、第２の電磁石２４を消磁し、第１の電磁石２２を励磁すると、第１の電磁石２２の吸引力によって、ホルダー１６が案内レール２０に沿って降下する。最終的に降下した際、図１（ｂ）に示すように、注射針１２は通過孔１４を通過して、基板２の他方の面側に突出する。
【００２１】
また、図１（ｂ）に示す状態から、第１の電磁石２２を消磁し、第２の電磁石２４を励磁すると、第２の電磁石２４の吸引力によって、ホルダー１６が案内レール２０に沿って上昇し、注射針１２も通過孔１４を通って基板２の一方の表面側に後退する。
【００２２】
第１及び第２の電磁石２２、２４の励磁、消磁の切替えは、選択手段、例えば切替えスイッチ２６によって行われる。この切替えスイッチ２６は、基板２上に設けられている。この切替えスイッチ２６の操作部２８の一部が、椀状体４の表面から露出している。例えば第１の電磁石２２が励磁され、第２の電磁石２４が消磁された状態で、操作部２８を押すと、第１の電磁石２２が消磁され、第２の電磁石２４が励磁された状態に切り換えられる。この状態で再度操作部２８を押すと、再び第１の電磁石２２が励磁され、第２の電磁石２４が消磁された状態になる。
【００２３】
手に馴染みやすい椀状体４を用い、その表面に操作部２８の一部が露出しているので、椀状体４を片手で持ち、その片手の１本の指を使用して、操作部２８を操作できる。従って、注射針１２の昇降を容易に行うことができる。
【００２４】
図１（ａ）、（ｂ）に示すように、基板２の一方の表面側には、駆動手段２６が設けられている。これは、例えばモータの回転運動をロッド２８の往復運動に変換するものである。ロッド２８は、その先端部に設けたフランジ状部３０が、ピストン１０の後方端部のフランジ状部１０ｂに接触している。特に、注射針１２が通過孔１４から外方に突出した状態において、ピストン１０が後退しているとき、ロッド２８も後退している。ロッド２８が前進を開始すると、これにつれて、ピストン１０も前進を開始して、注射針１２から注射液が注射される。ホルダー１６が降下して、注射針１２が通過孔１４から突出したのに同期して、駆動手段２６の駆動は開始される。また、駆動手段２６の両側には、電磁石２２、２４や駆動手段２６の電源として使用する乾電池３２が設けられている。
【００２５】
このように構成した自己注射用の注射器は、例えば次のように使用する。図３に示すように注射針１２が基板２の一方の表面側に後退している状態で、点線で示すように人体の適所、例えば大腿部の上に基板２の他方の表面側を接触させる。この状態では図１（ａ）に示すようにピストン１０が後退しており、シリンダー８内には注射液が既に所定量充填されている。そして、操作部２８を指で押すと、上述したようにホルダー１６、注射器本体６が案内レール２０に沿って瞬時に降下し、注射針１２が瞬時に降下し、通過孔１４を通って皮下に突き刺さる。これに応じて駆動手段２６が動作し、ピストン１０を前進させるので、注射液が注射針１２を介して皮下に注入される。この注入の終了後、操作部２８を再び押すと、ホルダー１６、注射器本体６が案内レール２０に沿って瞬時に上昇し、注射針１２も瞬時に通過孔１４を通って上昇し、注射針１２は、皮膚から抜かれる。
【００２６】
このように基板２の平らな他方の表面が皮膚に接触した状態において、基板２に対してほぼ垂直に注射針が昇降することによって、注射針は真っ直ぐに皮膚に刺され、かつ真っ直ぐに抜かれる。従って、皮下での注射針１２の動揺がないため、注射の痛みが軽減される。また、注射針１２は瞬時に突き刺されるので、注射の痛みが軽減される。
【００２７】
なお、注射器本体６への注射液の充填は、椀状体４を基板２から外した後、ホルダー１６を第１の電磁石２４から取り外して行う。また、上記の実施の形態では、操作部２８の操作によって、注射針１２の降下と注射液の注入とを行ったが、別に注射液の注入用の操作部を設けてもよい。
【００２８】
【発明の効果】
以上のように、請求項１記載の発明によれば、平坦な基板の他方の面側を皮膚に接触させて、操作部を操作すると、注射針を真っ直ぐに皮膚に刺したり、抜いたりすることができ、皮下での注射針の動揺が少ないので、痛みを軽減することができる。また、注射針の刺したり、抜いたりを瞬時に行えるので、更に痛みを軽減することができる。親しみ易い形状であり、また針がみえないため注射に対する恐怖心を軽減できる。
【００２９】
注射器本体が基板に平行に配置されているので、高さ寸法を短くすることができる。
【００３０】
第１及び第２の電磁石を用いて、注射器本体を昇降させているので、確実に瞬時に注射器本体を昇降させることができる。
【００３１】
基板を除く構成要素が全て椀状体内に収容されて、選択手段の操作部が、その椀状体の表面から露出した構成であるので、手に馴染んだ状態で使用できるうえに、昇降の操作も容易に行える。
【００３２】
請求項２記載の発明によれば、注射針が皮下に突き刺さると、その後に、シリンダ内の注射液を注射針から皮下に注射することができる
【図面の簡単な説明】
【図１】本発明による注射器の１実施の形態における注射針の昇降状態それぞれを示す縦断面図である。
【図２】同実施の形態の椀状体を除去した状態の平面図である。
【図３】同実施の形態の縦断正面図である。
【符号の説明】
２  基板
４  椀状体
６  注射器本体
８  シリンダー
１０  ピストン
１２  注射針
１４  通過孔
１６  ホルダー（磁性体）
２０  案内レール
２２  第１の電磁石
２４  第２の電磁石
２６  切替えスイッチ（選択手段）
【図１】
0004208038.tif 000002
【図２】
0004208038.tif 000003
【図３】
0004208038.tif 000004